(57)【要約】      （修正有）【課題】リモコンの電源供給に係る設置構造を簡素化してリモコンの使用スペースを節減することができるソーラーによるリモコンの構造を提供する。【解決手段】リモコン本体、リモコン本体に設けられた制御モジュールと電池収納槽及びソーラーモジュールを含む。ソーラーモジュールは電池収納槽に収納されると共に、制御モジュールが被制御端にコマンドを発信するように、制御モジュールと電気的に接続されて電源を制御モジュールに供給する。【選択図】図２
0003156780.tif 000002
【実用新案登録請求の範囲】
【請求項１】
ソーラーによるリモコンの構造であって、
制御モジュールを設置したリモコン本体と、
前記リモコン本体を設置した電池収納槽と、
前記制御モジュールと電気的に接続されて電源を前記制御モジュールに提供するソーラーモジュールと、
を含むことを特徴とするソーラーによるリモコンの構造。
【請求項２】
前記制御モジュールは、
前記リモコン本体の表面に設置した制御パネルであって、前記制御パネルには複数のキーを備えるものと、
前記制御装置本体内に設置すると共に前記制御パネルに対応する制御回路モジュールと、
光波発射ユニットを含む信号発射ユニットであって、前記光波発射ユニットは赤外線発射ユニット又はＲＦ発射ユニットであって、前記制御回路モジュールと電気的に接続され、前記制御回路モジュールの制御によって制御信号を被制御端に発射するものと、
を含むことを特徴とする請求項1に記載のソーラーによるリモコンの構造。
【請求項３】
前記ソーラーモジュールは、
太陽光エネルギーを取り入れるソーラー板と、
前記ソーラー板が取り入れる光エネルギーを電気エネルギーに変換する光電変換ユニットと、
前記光電変換ユニットが変換した電気エネルギーを蓄電する蓄電ユニットと、
前記光電変換ユニットと前記蓄電ユニットに電気的に接続されて、電気エネルギーを光電変換ユニットから前記蓄電ユニットに送電して蓄電する充電回路と、
前記ソーラー板、前記光電変換ユニット、前記蓄電ユニット及び前記充電回路を一体で収納するケースと、
を含み、そのうち前記ソーラー板は前記ケース表面に設置されると共に前記リモコン本体の表面に設置されることを特徴とする請求項1に記載のソーラーによるリモコンの構造。
【請求項４】
前記ソーラーモジュールは前記電池収納槽内に収納することを特徴とする請求項1に記載のソーラーによるリモコンの構造。
【請求項５】
さらに、前記リモコン本体に設置して、前記ソーラーモジュールを収納するソーラーモジュール収納槽を含むことを特徴とする請求項1に記載のソーラーによるリモコンの構造。
【考案の詳細な説明】
【技術分野】
【０００１】
本考案はソーラーによるリモコンの構造に関し、特にソーラーでリモコン操作に必要な電気エネルギーを供給するリモコンの構造に関する。
【背景技術】
【０００２】
図1は従来のリモコン３の外観であり、ユーザーがパネル上のキーを操作して制御コマンドを発信するための操作パネル３１を具え、被制御端はキー操作に対応する作業を行う。リモコン３の作動に必要な電源は電池収納ケース３３内に入れた電池（一般には乾電池）が出力する電力による。乾電池やアルカリ電池はリモコン３内で使用されない時でも電池が自然放電することによって、電気エネルギーが殆ど消耗してしまい、しかも電池の電力が消耗した後の廃棄の問題や汚染を生じる可能性が有り、このため最近では環境を保護し、重複使用される電力供給源を採用して改良する方向に次第に発展してきている。
【考案の概要】
【考案が解決しようとする課題】
【０００３】
本考案の目的はソーラーを取り入れてリモコン操作に必要な電気エネルギーに変換する、簡潔なソーラーによるリモコンの構造を提供することである。
【課題を解決するための手段】
【０００４】
上記の目的を達成するため、本考案はリモコン本体、電池収納槽、ソーラーモジュールを含むソーラーによるリモコンの構造を提供し、そのうち電池収納槽と制御モジュールは共にリモコン本体に設置し、ソーラーモジュールは直接電池収納槽内に収納すると共に、制御モジュールと電気的に接続されて制御モジュールに電源を供給する。
【０００５】
ソーラーモジュールは、ソーラー板と、光エネルギーを電気エネルギーに変換して蓄電する素子とを統合してケース内に一体で収納し、ソーラーモジュールが自ら光エネルギーを取り入れて電気エネルギーを産出して蓄電し、制御モジュールがこれを使用する。
【０００６】
本考案はまた、リモコン本体、電池収納槽、蓄電ユニット、ソーラーモジュール収納槽及びソーラーモジュールを含む別のソーラーによるリモコンの構造を提供し、そのうち電池収納槽、ソーラーモジュール収納槽及び制御モジュールは何れもリモコン本体に設置し、蓄電ユニットは電池収納槽に収納すると共に、制御モジュールと電気的に接続されて制御モジュールに電源を供給し、ソーラーモジュールはソーラーモジュール収納槽内に収納すると共に蓄電ユニットと電気的に接続されて、光エネルギーが変換されて出来た電気エネルギーを蓄電ユニット内に蓄電する。
【０００７】
ソーラーモジュールは、ソーラー板と、光エネルギーを電気エネルギーに変換する素子とを統合して、充電回路によって電気エネルギーを蓄電ユニットに送電して蓄電し、制御モジュールがこれを使用する。
【０００８】
以上の概説と下記の実施例は共に本考案の技術方法と達成効果をさらに説明するものであるが、記述された実施例と図面は参考及び説明用に留まり、本考案に制限を課すものではない。
【図面の簡単な説明】
【０００９】
【図１】従来のリモコンの設置概略図である。
【図２】本考案が提供するソーラーによるリモコンの構造の実施例の概略図である。
【図３】本考案が提供する別のソーラーによるリモコンの構造の実施例のブロック図である。
【図４】本考案が提供する別のソーラーモジュールの実施例の概略図である。
【図５】本考案が提供する別のソーラーによるリモコンの構造の実施例の概略図である。（相反する面に設置）
【図６】本考案が提供する別のソーラーによるリモコンの構造の実施例の概略図である。（同一面に設置）
【図７】本考案が提供する別のソーラーによるリモコンの構造の実施例の概略図である。
【考案を実施するための形態】
【実施例】
【００１０】
本考案はソーラーの取り入れと電気エネルギーの蓄電を統合し、リモコン本体の外観設置を変更する必要の無い状態で、ソーラーをリモコンに給電する効果を達成するソーラーによるリモコンの構造を提供する。さらに詳細に説明し解釈するために、以下に図面と併せて解説して、本考案で使用される技術及び方法を一層明確に開示することとする。
【００１１】
図2は本考案が提供するソーラーによるリモコンの構造の実施例の概略図である。本実施例のリモコン１はリモコン本体１４を有し、リモコン本体１４はさらに制御モジュール収納槽１６と電池収納槽１８を含む。
【００１２】
制御モジュール収納槽１６はリモコン１の制御モジュールを収納し、リモコン本体１４表面に設置した制御パネル１００、制御パネル１００に対応してリモコン本体１４内に設置した制御回路モジュール１０２、及び制御信号を送信する信号発射ユニット１０４をさらに含む。
【００１３】
電池収納槽１８はソーラーモジュール１２を収納するもので、ソーラーモジュール１２で光エネルギーを取り入れると共に、光エネルギーをリモコン1が使用可能な電気エネルギーに変換する。ソーラーモジュール１２と電池収納槽１８は対応する位置にそれぞれ導電ユニット１２８０、１８０を設置して、ソーラーモジュール１２を電池収納槽１８に入れると、導電ユニット１２８０、１８０が導電して、ソーラーモジュール１２が蓄電している電気エネルギーを送電回路により制御回路モジュール１０２に送電して、制御回路モジュール１０２に電気エネルギーを供給して、制御パネル１００のキー１０００をタッチすることで作動する。
【００１４】
導電ユニット１８０、１２８０の設置方法は図2に示した正極、負極の導電ジョイントが同一側にある他に、当業者は適当に変更してソーラーモジュール１２の導電ユニット１２８０をそれぞれ両側に設けて、電池収納槽１８が元々乾電池に合せて使用している正、負二極のジョイントに組合わせることもできる。
【００１５】
このようにして、リモコン1の電池収納槽１８に乾電池を入れて電力を提供していた以前の方法に取って代わることができ、リモコン本体１４を改めて設計したり、ユーザーにリモコン1を交換させたりする必要はなく、また環境を保護する永続的な電力源に改めてリモコン1に供給して作動させるという効果を達成することができた。
【００１６】
図3は本考案が提供する別のソーラーによるリモコンの構造の実施例のブロック図である。本実施例のリモコン１はリモコン本体に設置した制御モジュール１０とソーラーモジュール１２を含み、制御モジュール１０はさらに制御パネル１００、制御回路モジュール１０２及び信号発射ユニット１０４を含み、また、ソーラーモジュール１２はソーラー板１２０、光電変換ユニット１２２、充電回路１２４及び蓄電ユニット１２６を含む。
【００１７】
ソーラーモジュール１２内のソーラー板１２０はソーラーを取り入れ取るためのもので、光電変換ユニット１２２はソーラー板１２０が取り入れた太陽光エネルギーをリモコン1に使用可能な電源に変換し、蓄電ユニット１２６は光電変換ユニット１２２に変換された電気エネルギーを蓄電するためのもので、よって蓄電ユニット１２６は充電式電池でもよい。充電回路１２４は光電変換ユニット１２２と蓄電ユニット１２６の間に電気的に接続されて、電気エネルギーを光電変換ユニット１２２から蓄電ユニット１２６に送電して蓄電する。
【００１８】
制御モジュール１０の制御回路モジュール１０２はリモコン1内部に設置すると共に、ユーザーが操作する制御パネル１００に対応して、制御回路モジュール１０２はリモコン１表面の制御パネル１００上に設けたキーにタッチすることで、特定の操作機能に対応する制御信号を生じ、制御回路モジュール１０２と電気的に接続された信号発射ユニット１０４から制御信号を被制御端（図示せず）に発信すると、被制御端（例：テレビ、クーラー）は指定された操作機能を実行する。前記信号発射ユニット１０４は例えば、光波信号（赤外線）を発射する光波発射ユニット（赤外線発射ユニット）、又はＲＦ信号を発射するＲＦ発射ユニットである。
【００１９】
制御回路モジュール１０２の作動に必要な電気エネルギーは制御回路モジュール１０２に電気的に接続されたソーラーモジュール１２からのものであり、即ち蓄電ユニット１２６内に蓄電されている電気エネルギーを制御モジュール１０が作動する電力源とする。
【００２０】
ソーラーモジュール１２内の各素子はケース１２８内に一体で統合でき、図４に示されるソーラーモジュール１２ａの概略図を例に取ると、ケース１２８は前記ソーラー板１２０、光電変換ユニット１２２、充電回路１２４及び蓄電ユニット１２６を収納し、ソーラー板１２０がケース１２８の表面から外部の太陽光エネルギーを取り入れることができるようにソーラー板１２０をケース１２８の表面に設置する。このケース１２８内に一体で収納された統合式ソーラーモジュール１２は光エネルギーを吸収する機能を具えている上に、自ら順次光エネルギーを電気エネルギーに変換して蓄電することもでき、制御モジュール１０が使用する効果を有する。
【００２１】
図5はリモコン本体１４とソーラーモジュール１２の結合が完成したリモコン１の概略図であり、同時に図２と図４を参照する。本実施例で提供するソーラーモジュール１２は光エネルギーを取り入れたソーラー板１２０が電気エネルギーを蓄電する素子とを統合して、共にケース１２８内に収納されており（図４）、このためリモコン１は図5に示すように、２つのスペースにリモコン1の作用モジュールを収納する。また、制御モジュール１０は制御モジュール収納槽１６に設置し、その制御パネル１００は押下するためリモコン本体１４表面にあり、ソーラーモジュール１２は電池収納槽１８に設置し、そのソーラー板１２０もリモコン本体１４表面に設置するといった態様を呈している。制御パネル１００を操作する以外の間、ソーラー板１２０を光源方向に向けて置きさえすれば、光エネルギーを取り入れる作用を発揮することができる。
【００２２】
然しながら、制御モジュール収納槽１６と電池収納槽１８が設置された位置はリモコン本体１４の相反する両面に限られず、図６に示したリモコン１ａのように、制御モジュール収納槽１６と電池収納槽１８ａは共にリモコン本体１４ａの同一面に設置され、ユーザーが一般にリモコン１ａを使用する習慣に従って、制御パネル１００を設置した面を上に向けると、同一面にあるソーラー板１２０が絶えず光源を取り入れることができ、電気エネルギーの変換と蓄電に役立つ。
【００２３】
従って、上記各実施例の説明や図面に示したリモコン１の構造によると、リモコン本体１４はソーラー板１２０と蓄電ユニット１２６をそれぞれ異なる収納スペースに設置する必要はなく、ケース１２８に収納されたソーラーモジュール１２は直接電池収納ケース１８内に収納され、ソーラー板１２０も直接電池収納ケースの蓋に取って代えることができる。
【００２４】
このように、ソーラーの給電方法を採用するために、別途新しいリモコン１のケースを鋳造する必要がなく、リモコンの製造工程を簡素化すると同時にリモコンのスペースを節減して、製造コストを低減するといった効果を達することができる。
【００２５】
然しながら、図７ではリモコン１ｂは制御モジュール収納槽１６と電池収納槽１８ｂを設置している他に、ソーラーモジュール槽１９を別に設置することも可能で、この場合蓄電ユニット１２６（充電式電池でも可）はソーラーモジュール１２から分離されて電池収納槽１８ｂ内に収納されるが、同様にソーラーモジュール１２で生じた電気エネルギーを取り入れると共に、制御モジュール１０と電気的に接続されて電力を供給する。別途設置したソーラーモジュール槽１９はソーラー板１２０、光電変換ユニット１２２及び充電回路１２４を一体に集合させたソーラーモジュール１２を収納するもので、光電変換ユニット１２２が作動することによって、電気エネルギーが産出されて、充電回路１２４で電気エネルギーを蓄電ユニット１２６に送電し、使用に供するため蓄電する。
【００２６】
以上の記述は本考案の具体的実施例の説明と図面であり、本考案の全ての権利範囲は下記の実用新案登録請求の範囲を基準とし、如何なる当業者も容易に思いつく変化又は修飾は何れも本願で定義された考案の範囲内に含まれるものとする。
【符号の説明】
【００２７】
（従来）
３  リモコン
３１  操作パネル
３３  電池収納ケース
（本考案）
１  リモコン
１ａ  リモコン
１ｂ  リモコン
１０  制御モジュール
１００  制御パネル
１０００  キー
１０２  制御回路モジュール
１０４  信号発射ユニット
１２  ソーラーモジュール
１２ａ  ソーラーモジュール
１２０  ソーラー板
１２２  光電変換ユニット
１２４  充電回路
１２６  蓄電ユニット
１２８  ケース
１２８０  導電ユニット
１４  リモコン本体
１４ａ  リモコン本体
１６  制御モジュール収納槽
１８  電池収納槽
１８ａ  電池収納槽
１８ｂ  電池収納槽
１９  ソーラーモジュール収納槽
１８０  導電ユニット
【図１】
0003156780.tif 000003
【図２】
0003156780.tif 000004
【図３】
0003156780.tif 000005
【図４】
0003156780.tif 000006
【図５】
0003156780.tif 000007
【図６】
0003156780.tif 000008
【図７】
0003156780.tif 000009
【手続補正書】
【提出日】平成21年11月11日(2009.11.11)
【手続補正１】
【補正対象書類名】実用新案登録請求の範囲
【補正対象項目名】全文
【補正方法】変更
【補正の内容】
【実用新案登録請求の範囲】
【請求項１】
ソーラーによるリモコンの構造であって、
制御モジュールを設置したリモコン本体と、
前記リモコン本体を設置した電池収納槽と、
前記制御モジュールと電気的に接続されて電源を前記制御モジュールに提供するソーラーモジュールと、
前記リモコン本体に設置したソーラーモジュール収納槽と、
を含むことを特徴とするソーラーによるリモコンの構造。
【請求項２】
前記制御モジュールは、
前記リモコン本体の表面に設置した制御パネルであって、前記制御パネルには複数のキーを備えるものと、
前記リモコン本体内に設置すると共に前記制御パネルに対応する制御回路モジュールと、
光波発射ユニットを含む信号発射ユニットであって、前記光波発射ユニットは赤外線発射ユニット又はＲＦ発射ユニットであって、前記制御回路モジュールと電気的に接続され、前記制御回路モジュールの制御によって制御信号を被制御端に発射するものと、
を含むことを特徴とする請求項１に記載のソーラーによるリモコンの構造。
【請求項３】
前記ソーラーモジュールは、
太陽光エネルギーを取り入れるソーラー板と、
前記ソーラー板が取り入れる光エネルギーを電気エネルギーに変換する光電変換ユニットと、
前記光電変換ユニットが変換した電気エネルギーを蓄電する蓄電ユニットと、
前記光電変換ユニットと前記蓄電ユニットに電気的に接続されて、電気エネルギーを光電変換ユニットから前記蓄電ユニットに送電して蓄電する充電回路と、
前記ソーラー板、前記光電変換ユニット、前記蓄電ユニット及び前記充電回路を一体で収納するケースと、
を含み、そのうち前記ソーラー板は前記ケース表面に設置されると共に前記リモコン本体の表面に設置されることを特徴とする請求項１に記載のソーラーによるリモコンの構造。
【請求項４】
前記ソーラーモジュールは前記電池収納槽内に収納することを特徴とする請求項１に記載のソーラーによるリモコンの構造。